(57)【特許請求の範囲】
【請求項１】
番組の属性情報と合致する検索条件を用いて番組を抽出する番組検索装置であって、
検索条件を記憶する検索条件記憶部と、
検索条件のリストと検索結果である番組のリストとを表示部に一覧表示する制御を行う表示制御部と、を有し、
前記表示制御部は、前記検索条件記憶部に最新に記憶された検索条件を前記検索条件のリストにおけるフォーカス位置とし、
前記検索条件のリストに含める特徴カテゴリを選択する特徴検索条件リスト表示部を有し、
前記特徴検索条件リスト表示部は、前記特徴カテゴリをマトリクス状に配置したボタンにより構成される第１の表示を行い、
さらに、
前記第１の表示において前記ボタンにより前記特徴カテゴリが選択された状態から、選択された前記特徴カテゴリに基づいて抽出された現在放送中又はこれから放送される番組のリストと、前記番組のリストを検索した検索条件をリスト表示する検索条件のリストにより構成される第２の表示に切り替え表示し、
前記第１の表示において選択された特徴カテゴリが選択状態となるとともに以前選択された特徴カテゴリについても以前選択されてアクティブになっている旨を表示させ、前記第２の表示の前記検索条件のリストにおいて、前記以前選択された特徴カテゴリもリスト表示させることで、前記以前選択された特徴カテゴリに基づいて抽出された現在放送中又はこれから放送される番組のリストに切り替え表示可能としたことを特徴とする番組検索装置。
【請求項２】
前記検索条件が入力されるキーワードであり、
前記一覧表示の画面又は異なる画面においてキーワードを入力することにより、前記検索条件のリストに含めるキーワード項目を選択して前記検索条件記憶部に記憶させることを特徴とする請求項１に記載の番組検索装置。
【請求項３】
前記検索条件のリストを選択的に個別消去するために対象とするキーワードを選択した状態で消去する個別消去ボタンを備えることを特徴とする請求項２に記載の番組検索装置。
【請求項４】
前記検索条件のリスト中の全てのキーワードを全消去する全消去ボタンを前記検索条件のリストを表示させた画面に設けることを特徴とする請求項２に記載の番組検索装置。
【請求項５】
番組の属性情報と合致する検索条件を用いて番組を抽出する番組検索方法であって、
検索条件を記憶する検索条件記憶ステップと、
検索条件のリストと検索結果である番組のリストとを表示部に一覧表示する制御を行う表示制御ステップと、を有し、
前記表示制御ステップは、検索条件記憶ステップに最新に記憶された検索条件を前記検索条件のリストにおけるフォーカス位置とし、
前記検索条件のリストに含める特徴カテゴリを選択する特徴検索条件リスト表示ステップを有し、
前記特徴検索条件リスト表示ステップは、前記特徴カテゴリをマトリクス状に配置したボタンにより構成される第１の表示と、
前記第１の表示において前記ボタンにより前記特徴カテゴリが選択された状態から、選択された前記特徴カテゴリに基づいて抽出された現在放送中又はこれから放送される番組のリストと、前記番組のリストを検索した検索条件をリスト表示する検索条件のリストにより構成される第２の表示に切り替え表示し、
さらに、
前記第１の表示において選択された特徴カテゴリが選択状態となるとともに以前選択された特徴カテゴリについても以前選択されてアクティブになっている旨を表示させ、前記第２の表示の前記検索条件のリストにおいて、前記以前選択された特徴カテゴリもリスト表示させることで、前記以前選択された特徴カテゴリに基づいて抽出された現在放送中又はこれから放送される番組のリストに切り替え表示可能とし、
前記特徴検索条件リスト表示ステップは、前記特徴カテゴリをマトリクス状に配置したボタンにより構成されることを特徴とする番組検索方法。
【請求項６】
請求項５に記載の番組検索方法をコンピュータに実行させるためのプログラム。
【発明の詳細な説明】
【技術分野】
【０００１】
本発明は、コンテンツ通知技術に関し、より詳細には、コンテンツを検索して通知する技術に関する。
【背景技術】
【０００２】
近年、放送の多チャンネル化に伴い、ユーザが見たかった放送番組などのコンテンツを見逃す可能性が高まっている。このような事態に対応するため、例えばテレビジョン受信装置などのコンテンツ再生装置において、ユーザにコンテンツを通知する技術が知られている。例えば、下記特許文献１に記載の技術は、ユーザが指定したキーワードを別画面で入力キーワード毎に色指定し、その色により電子番組表（ＥＰＧ）上に表示するものである。色で表示されたその番組をＥＰＧ上でカーソルにより選択した場合に、ＥＰＧ枠外の番組情報欄に記載されたキーワードも同じ色で表示することで、視聴したい番組を認識しやすくすることができる。
【先行技術文献】
【特許文献】
【０００３】
【特許文献１】特開２００３−２１９３００号公報
【発明の概要】
【発明が解決しようとする課題】
【０００４】
しかしながら、上記特許文献１に記載の方法では、キーワードと番組欄とが異なる位置に表示されるため、視線移動が必要となり、特に大画面のデジタルテレビジョン受信装置などでは見にくくなるという問題がある。特に、番組検索結果を見た後に、次の検索を連続して行う場合に操作が複雑になる。【０００５】
本発明は、番組などのコンテンツ検索の連続検索操作を簡単にし、検索結果をよりわかりやすくすることを目的とする。
【課題を解決するための手段】
【０００６】
本発明は、カテゴリやキーワードなどの検索条件を入力する画面と、番組のリスト表示画面とを切り替えて表示させることを特徴とする。これにより、検索条件設定と検索結果を含む番組選択とをそれぞれ大きな表示で行うことができ、取り扱いが行いやすくなるという利点がある。また、ユーザーが、番組を検索するためのキーワード、及び任意の番組情報などの条件を入力して検索した直後に結果を表示する際に、自動的にフォーカス位置を、今検索した項目にあわせることにより、次の検索項目の条件入力への移動、及び、検索結果の表示をするためのフォーカス移動をしやすくする。【０００７】
本発明の一観点によれば、番組の属性情報と合致する検索条件を用いて番組を抽出する番組検索装置であって、検索条件を記憶する検索条件記憶部と、検索条件のリストと検索結果である番組のリストとを表示部に一覧表示する制御を行う表示制御部と、を有し、前記表示制御部は、前記検索条件記憶部に最新に記憶された検索条件を前記検索条件のリストにおけるフォーカス位置とすることを特徴とする番組検索装置が提供される。前記フォーカス位置の検索条件から抽出される番組を前記番組のリストに表示させることが好ましい。【０００８】
前記検索条件が番組の特徴カテゴリであり、前記一覧表示の画面とは異なる画面において前記検索条件のリストに含める特徴カテゴリを選択して前記検索条件記憶部に記憶させることが好ましい。前記検索条件のリストに含める特徴カテゴリを選択する特徴検索条件リスト表示部を設けても良い。また、前記特徴検索表示部は、前記特徴カテゴリをマトリクス状に配置したボタンにより構成され、直前の選択にフォーカスを、それ以前の選択に識別可能な表示を付して表示させることが好ましい。前記検索条件が入力されるキーワードであり、前記一覧表示の画面又は異なる画面においてキーワードを入力することにより、前記検索条件のリストに含めるキーワード項目を選択して前記検索条件記憶部に記憶させることが好ましい。前記キーワードの検索条件リストを選択的に個別消去するために対象とするキーワードを選択した状態で消去する個別消去ボタンを備えるようにすると良い。前記キーワード検索条件リスト中の全てのキーワードを全消去する全消去ボタンを前記キーワードの検索条件リストを表示させた画面に設けるようにしても良い。【０００９】
上記に記載の前記特徴カテゴリ検索条件リストと前記入力キーワード検索条件リストとを、一画面において表示させ、前記特徴カテゴリ検索条件リストと前記入力キーワード検索条件リストとの間をカーソルにより移動させて横断的に検索条件の変更を可能とするようにすると良い。【００１０】
本発明の他の観点によれば、番組の属性情報と合致する検索条件を用いて番組を抽出する番組検索方法であって、検索条件を記憶する検索条件記憶ステップと、検索条件のリストと検索結果である番組のリストとを表示部に一覧表示する制御を行う表示制御ステップと、を有し、前記表示制御ステップは、検索条件記憶ステップに最新に記憶された検索条件を前記検索条件のリストにおけるフォーカス位置とすることを特徴とする番組検索方法が提供される。また、前記検索条件が番組の特徴カテゴリであり、前記一覧表示の画面とは異なる画面において前記検索条件のリストに含める特徴カテゴリを選択して前記検索条件記憶部に記憶させるステップを有することが好ましい。前記検索条件が入力されるキーワードであり、前記一覧表示の画面又は異なる画面においてキーワードを入力することにより、前記検索条件のリストに含めるキーワード項目を選択して前記検索条件記憶部に記憶させるステップを有することが好ましい。【００１１】
本発明は、上記に記載の番組検索方法をコンピュータに実行させるためのプログラムであっても良く、該プログラムを記録するコンピュータ読み取り可能な記録媒体でも良い。プログラムはインターネットなどの伝送媒体により取得できるものでも良い。【００１２】
本明細書は本願の優先権の基礎である日本国特許出願２００９−１８４４８１号の明細書および／または図面に記載される内容を包含する。
【発明の効果】
【００１３】
本発明によれば、番組検索した結果の表示も確認できるのとともに、次の検索への移動の操作が簡単になるという利点がある。
【図面の簡単な説明】
【００１４】
【図１】本発明の一実施の形態によるテレビジョン受信装置の一構成例を示す機能ブロック図である。
【図２】本発明の一実施の形態によるリモコン装置の表面構成例を示す図である。
【図３Ａ】本発明の第１の実施の形態によるコンテンツ検索・通知技術に基づく画面遷移の様子を示す図であり、特徴検索（カテゴリ検索）を行った場合における画面遷移の様子を示す図である。
【図３Ｂ】本発明の第１の実施の形態によるコンテンツ検索・通知技術に基づく画面遷移の様子を示す図であり、特徴検索（カテゴリ検索）を行った場合における画面遷移の様子を示す図である。
【図３Ｃ】本発明の第１の実施の形態によるコンテンツ検索・通知技術に基づく画面遷移の様子を示す図であり、特徴検索（カテゴリ検索）を行った場合における画面遷移の様子を示す図である。
【図４Ａ】本発明の第１の実施の形態によるコンテンツ検索・通知技術に基づく画面遷移の様子を示す図であり、特徴検索（カテゴリ検索）を行った場合における画面遷移の様子を示す図である。
【図４Ｂ】本発明の第１の実施の形態によるコンテンツ検索・通知技術に基づく画面遷移の様子を示す図であり、特徴検索（カテゴリ検索）を行った場合における画面遷移の様子を示す図である。
【図５Ａ】本発明の第１の実施の形態によるコンテンツ検索・通知技術に基づく画面遷移の様子を示す図であり、特徴検索（カテゴリ検索）を行った場合における画面遷移の様子を示す図である。
【図５Ｂ】本発明の第１の実施の形態によるコンテンツ検索・通知技術に基づく画面遷移の様子を示す図であり、特徴検索（カテゴリ検索）を行った場合における画面遷移の様子を示す図である。
【図６】本実施の形態によるカテゴリ検索処理の流れを示すフローチャート図である。
【図７Ａ】本発明の第２の実施の形態によるキーワード検索による検索技術の画面遷移の例を示す図である。
【図７Ｂ】本発明の第２の実施の形態によるキーワード検索による検索技術の画面遷移の例を示す図である。
【図７Ｃ】本発明の第２の実施の形態によるキーワード検索による検索技術の画面遷移の例を示す図である。
【図８Ａ】本発明の第２の実施の形態によるキーワード検索による検索技術の画面遷移の例を示す図である。
【図８Ｂ】本発明の第２の実施の形態によるキーワード検索による検索技術の画面遷移の例を示す図である。
【図９】本実施の形態によるキーワード検索処理の流れを示すフローチャート図である。
【図１０Ａ】本発明の第３の実施の形態による番組検索技術のうち、個別消去の画面遷移の例を示す図である。
【図１０Ｂ】本発明の第３の実施の形態による番組検索技術のうち、個別消去の画面遷移の例を示す図である。
【図１０Ｃ】本発明の第３の実施の形態による番組検索技術のうち、個別消去の画面遷移の例を示す図である。
【図１１】本実施の形態による個別消去処理の流れを示すフローチャート図である。
【図１２Ａ】本発明の第３の実施の形態による番組検索技術のうち、全消去の画面遷移の例を示す図である。
【図１２Ｂ】本発明の第３の実施の形態による番組検索技術のうち、全消去の画面遷移の例を示す図である。
【図１３Ａ】本発明の第３の実施の形態による番組検索技術のうち、全消去の画面遷移の例を示す図である。
【図１３Ｂ】本発明の第３の実施の形態による番組検索技術のうち、全消去の画面遷移の例を示す図である。
【図１４】本実施の形態による全消去処理の流れを示すフローチャート図である。
【図１５】第１の実施の形態によるカテゴリ検索と第２の実施の形態によるキーワード検索処理との間の処理の関係を示すフローチャート図である。
【符号の説明】
【００１５】
１…フロントエンド、３…デマルチプレクサ、５…映像・音声デコード部、７…音声出力部、１１…番組情報デコード部、１５…番組表データ生成部１５、１７…画面合成部、２１…表示部、２３…リモコン受光部、２５…制御部（ＣＰＵ）、２５ａ…表示制御部、２５ｂ…番組検索部（特徴（カテゴリ）、キーワード）、２７…メモリ部、２７ａ…特徴検索条件記憶部、２７ｂ…入力キーワード記憶部、５３…検索条件決定部、６１…操作ボタン（検索キーワード入力部）、６７…検索ボタン（カラーキーでも良い）、８３…特徴検索条件リスト表示部、８３ａ…特徴検索設定ボタン、８３ｂ…特徴検索条件リスト、８５…キーワード検索条件リスト表示部、８５ａ…キーワード設定ボタン、８５ｂ…キーワード検索条件リスト全消去ボタン、９１…検索結果表示領域、１０１…特徴検索条件選択パネル、１０３…特徴検索条件ボタン、１０７…時間帯選択ボタン、１０７ａ…今日ボタン、１１１、１６５…検索結果番組リスト。
【発明を実施するための形態】
【００１６】
本明細書において、「コンテンツ」とは、例えば映像や音声やゲームなど人間の文化的創造活動により造られるものであり、ユーザに対しては、放送や通信や記録媒体を用いて提供することができる。また、ユーザはテレビなど表示装置を用いてコンテンツを視聴したり、レコーダなど記憶装置にコンテンツ記録したり再生装置を用いて再生したりする主体であり、例えばリモコン装置などの操作により視聴・記録などを行うことができる。
【００１７】
以下、本発明の実施の形態によるコンテンツ通知装置について、デジタルテレビジョン受信装置を例にして説明を行う。また、ユーザはテレビなど表示装置を用いてコンテンツを視聴したり、レコーダなど記憶装置にコンテンツ記録したり再生装置を用いて再生したりする主体であり、例えばリモコン装置などの操作により視聴・記録などを行うことができる。
【００１８】
以下に、本発明の実施の形態によるコンテンツ通知装置について、デジタル放送受信装置を例にして説明を行う。図１は、本実施の形態によるデジタル放送受信装置の一構成例を示す機能ブロック図である。図１に示すように、デジタル放送受信装置は、アンテナにより受信された信号から放送コンテンツ（番組）を選択するチューナなどを含むフロントエンド１と、多重化されている信号を映像信号と音声信号とに分けるデマルチプレクサ３と、暗号化されている映像信号と音声信号とをデコードする映像・音声デコード部５と、デコードされた音声を出力する音声出力部７と、デマルチプレクサ３からの出力から番組情報をデコードする番組情報デコード部１１と、番組情報から電子番組表（ＥＰＧ）データを生成する番組表データ生成部１５と、映像と、番組表示データなどを合成する画面合成部１７と、画面合成部１７で合成された映像を表示する表示部２１と、を有している。
【００１９】
さらに、各機能部全体を制御する制御部（ＣＰＵ）２５と、各種処理をＣＰＵに実行させるためのプログラムなどを格納するメモリ部２７と、リモコン装置３５からのリモコン信号を受信するリモコン受光部２３と、を有している。
【００２０】
さらに、本実施の形態によるデジタル放送受信装置では、表示関係では、制御部２５において、表示部２１の表示を制御する表示制御部２５ａと、番組の検索処理を行う番組検索部２５ｂとを有している。また、メモリ部２７は、検索条件を記憶する検索条件記憶部２７ａと、入力したキーワードなどを記憶するキーワード記憶部２７ｂと、を有している。
【００２１】
図２は、リモコン装置３５の表面構成を示す図である。図２に示すリモコン装置３５では、電源ボタン５１と、決定キー５５及び方向キー５７からなるキー操作部（検索条件決定部）５３と、操作ボタン（検索キーワード入力部３５ｂ）６１と、検索ボタン（カラーキーに割り当てても良い。）６７と、を有している。
【００２２】
図３から図５までは、本発明の第１の実施の形態によるコンテンツ検索・通知技術に基づく画面遷移の様子を示す図であり、特徴検索（カテゴリ検索）を行った場合における画面遷移の様子を示す図である。図６は、特徴検索（カテゴリ検索）を行った場合における本実施の形態によるコンテンツ検索・通知技術における処理の流れを示すフローチャート図である。まず、テレビジョン受信装置で電源をオンして、その表示部２１に表示させた状態で、リモコンの検索ボタン６７を押すと、図３Ａに示す画面が表示される。図３Ａに示す表示部への表示画面７１は、以下のように構成されている。
【００２３】
まず、表示画面７１のトップ領域があり、そのトップ領域には、現在の番組検索の対象機能表示領域７３が設けられ、この例では、テレビの番組表における検索であり、検索対象がＢＳテレビであることを示している。同じくトップ領域には、日付と曜日（本日の場合には今日と表記される）の日付表示領域７５と、現在曜日日時表示領域７７とが設けられている。日付表示領域７５には、現在選択されている日付に下線７９が引かれるなどの工夫がなされている。
【００２４】
表示画面７１のサイド領域（この図では左側）には番組詳細検索用の条件を表示したり選択したりする検索条件表示領域８１が設けられ、ここに、各種の検索条件が一覧表示できるようになっている。この例では、検索条件表示領域８１には、大別して、番組の特徴（カテゴリ）を検索条件とする特徴検索８３用の特徴検索表示ボタン８３ａと、全消去ボタン８３ｂと、検索条件リスト表示領域８３ｃと、からなる第１の検索条件表示領域と、入力キーワードを検索条件とするキーワード検索８５用のキーワード設定ボタン８５ａと、全消去ボタン８５ｂと、検索条件リスト表示領域８５ｃと、からなる第２の検索条件表示領域と、が設けられている。図３Ａにおいては、特徴検索表示ボタン８３ａが選択されているが、検索条件はリスト表示されておらず（未設定）、中央の検索結果表示領域９１には、「特徴検索の検索条件を設定する場合には、決定ボタンを押して下さい。選択した条件に当てはまる番組を検索します。」などの案内が表示される。図３Ａにおいては、特徴検索表示ボタン８３ａがフォーカス表示により選択されているため、図３Ｂに進み、中央の検索結果表示領域９１には、検索条件選択画面１０１が表示される。
【００２５】
この検索条件選択画面１０１において、特徴条件に基づく検索条件を選択することができるように、例えば、多数の検索条件の項目がマトリックス状に配置されている。リモコン装置の方向キーと決定キーとにより項目を選択し決定することができ、ここでは、例として、「スポーツ」というカテゴリが選択条件として選択されている。この状態で決定キーを押すと、図３Ｃに示すように、「スポーツ」というカテゴリが検索条件リスト表示領域８３ｃのトップに選択状態で表示されるとともに、スポーツのカテゴリの検索条件とし、現在選択中のその他の条件である、ＢＳテレビ、今日という条件とにより、ＢＳテレビで今日放送されており、又はこれから放送されている番組であって、かつ、カテゴリがスポーツである番組が全て抽出されリスト表示１１１される。すなわち、例えば、番組の属性情報として放送波に含まれている番組情報中にカテゴリが含まれているため、このカテゴリが上記において選択されたカテゴリと一致する放送番組が抽出される。抽出された番組は、例えば、放送開始順に並べられる。符号１０７は、時間帯選択ボタン、符号１０７ａは今日ボタンであり、その他の時間帯を選択することができるようになっている。番組リストの各行には、抽出されたＢＳテレビの番組の放送局アイコン１１３と、放送局名１１５と、チャネル番号、サービスＩＤ１１７、タイトル１２１及び放送時間帯１２３が表示され、番組の概要を知ることができる。ここで、検索条件リスト表示領域８３ｃのスポーツのカテゴリ１０５−１にフォーカスが当たっている。
【００２６】
この状態で、再度、決定ボタンを押すと、図４Ａに示すように、図３Ｂと同じように検索条件選択画面１０１が表示される。スポーツ番組１０３以外のカテゴリ、ここでは天気予報（１５分以内）１３１を選択するとこの天気予報というカテゴリが選択状態になるとともに、直前の選択カテゴリであって現在リスト表示１１１がなされているカテゴリであるスポーツ１０３に関しても、以前選択されてアクティブになっている旨の表示がなされている。
【００２７】
ここで、リモコン等の決定ボタンを押すと、図４Ｂに示すように、カテゴリ−天気予報（１５分以内）のリスト表示が前回選択されていたカテゴリスポーツの上（トップ）の１行目１０５−１に表示されるとともに、天気予報（１５分以内）のカテゴリの検索条件とし、現在選択中のその他の条件である、ＢＳテレビ、今日という条件とにより、ＢＳテレビで今日放送されており、又はこれから放送されている番組であって、かつ、カテゴリが天気予報（１５分以内）である番組が全て抽出されリスト表示１３５される。２行目１０５−２には、前回選択した条件であるスポーツ番組が表示されている。１行目１０５−１の天気予報と２行目１０５−２のスポーツ番組とのフォーカス位置を移動させることで、図５Ａに示すように、再び、スポーツ番組の番組リストを表示させることもできる。図５Ｂに示すように、図５Ａからフォーカス位置をリスト側に移動させると、図５Ｂに示すように、一番上の行の番組１２１にフォーカスが移動するようになっている。ここで、決定ボタンを押すとその番組が再生される。その他の操作に関するガイダンスが画面のボトム領域１３０に表示されているので、これに従って操作を行うことができる。尚、図３Ｂ、図４Ａに示す検索条件選択画面は、カテゴリリストの検索条件リスト表示領域８３ｃに表示させた状態における表示の順番（１０５−１〜１０５−ｎ）、ｎは１以上の整数）の入れ替えを行うためのユーザインターフェイスとして用いることもできる。例えば、カテゴリを選択して順番を例えば数字ボタンなどにより入力して順番とカテゴリの関連付けを変更することで、入れ替えることができるようにしても良い。また、前に選択したカテゴリの順番や項目をこの画面で変更することができるようにしても良い。
【００２８】
さらに、カテゴリリストを表示させた状態で、あるカテゴリ項目にフォーカスを当てると、他に選択できるカテゴリやサブカテゴリなどをサブメニューとして表示させることができるようにし、そこでこれらを選択することで別のリスト表示を行えるようにしても良い。このように、カテゴリやキーワードなどの検索条件を入力する画面と、番組のリスト表示画面とを切り替えて表示させることにより、検索条件設定と検索結果を含む番組選択とをそれぞれ大きな表示で行うことができ、取り扱いが行いやすくなるという利点がある。
【００２９】
以上の動作について、以下に詳細に説明する。図６は、本実施の形態によるカテゴリ検索処理の流れを示すフローチャート図である。まず、ステップＳ１において、ホームボタンなどが押されることで処理が開始される。ここで、番組詳細検索の操作の有無を検出し（ステップＳ２）、検出すると（ＹＥＳ）、ステップＳ３において番組詳細検索画面が表示される。ここで、ステップＳ４に進み、特徴（カテゴリ）検索の操作ボタンが押されることを検出すると（ＹＥＳ）、ステップＳ５において、検索条件画面を表示する。ステップＳ６においてこの画面で、検索条件が選択されると（ＹＥＳ）、ステップＳ７において、選択されたカテゴリ検索条件をメモリに記憶する。次いで、ステップＳ８において、検索結果表示を行う旨の操作信号を検出すると（ＹＥＳ）、ステップＳ９において、図３Ｃに示すような検索結果表示（番組表リスト表示）を行う。ここで、表示させているカテゴリ間においてカーソルを移動させると、そのカーソルに対応するカテゴリで検索された番組がリスト表示される。次いで、ステップＳ１０に示すように、番組リスト側へのカーソルの移動が検出されると（ＹＥＳ）、ステップＳ１１に移動する。番組表のリスト側へのカーソルの移動がなく（ＮＯ）、カテゴリ検索条件入力の画面に遷移させることでステップＳ１５において新たな検索条件を入力することができ、ステップＳ７に戻る。
【００３０】
ステップＳ１１では、番組リストの一番上に表示させている番組にフォーカスを当てることができ、さらにフォーカス位置を移動させることができる。ステップＳ１２において、決定ボタンを押すと（ＹＥＳ）、ステップＳ１３においてフォーカスされた番組を表示部に表示させることができる。或いは、フォーカスされた番組の録画予約又は番組視聴予約などを行うことも可能である。尚、上記のうちのどの処理になるかは仕様に依存するものである。メニューによって何をするかを設定することもできる。また、全ての項目を表示して選択する画面にしても良い。或いは、最初は選択する画面で、学習していき、履歴がたまってきた場合には、その項目の処理を行なうようにしても良い。これにより、処理が終了する（ｅｎｄ：ステップＳ１４）。
【００３１】
次に、本発明の第２の実施の形態による番組検索技術について図面を参照しながら説明を行う。図７および図８は、本実施の形態による番組検索のうちキーワード検索による検索技術の画面遷移の例を示す図である。図７Ａに示す図は、図３Ａと同様の画面であり、この画面で、図７Ｂに示すようにキーワード検索８５を選択し、リモコンなどの決定ボタンを押すと、図７Ｃに示すように、キーワード入力画面１５１が表示される。キーワード入力画面１５１は、文字入力ボタン１５７と、ガイダンス表示領域１６１と、変換候補の文字表示領域１５５と、が設けられ、これらにより入力された文字が入力文字表示領域（キーワード表示領域）１５３に表示される。図７Ｃでは、既に、キーワードである、「アメリカ」（３行目の１６３−３）、「大阪」（２行目の１６３−２）、「京都」（１行目の１６３−１）が入力されていたと仮定した表示を示している。キーワードとして新たに「日本」が入力された場合を例として、以下に説明を続ける。キーワードとして「日本」が入力されると、図８Ａに示すように、図７Ｃで、既に表示されていたキーワードである、「アメリカ」（４行目の１６３−４）、「大阪」（３行目の１６３−３）、「京都」（２行目の１６３−２）の上の１行目の１６３−１にキーワード「日本」が表示される。この際、過去に入力され表示されているキーワードは１行ずつ下にずれ、１番上の行１６３−１に最新に入力されたキーワードが表示され、かつ、このキーワードにフォーカス位置が移動する。すなわち、キーワード設定された項目が、「日本」、「京都」、「大阪」、「アメリカ」のようにリスト表示され、新たなキーワードから順番に上から表示されている。図８Ａに示す画面では、上記と同様の番組情報、例えば、タイトルやサブタイトル、出演者や内容の要約文の中に、キーワード「日本」が含まれている番組群が抽出され、また、検索結果として、「日本」をキーワードとした番組がリスト表示１６５されている。
【００３２】
ここで、フォーカスを番組リスト側に移動させると、リストの一番上の番組１７３にフォーカスが当たるようになっている。その他のアルゴリズムで例えば視聴履歴に基づいて、どの番組にフォーカスがあたるかを決めるようにしても良い。この状態で、フォーカスを移動させることで表示中の番組のいずれかを選択することができる。検索表示の方にフォーカスを戻すと、キーワード検索の候補間において所望のキーワードを選択することができる。
【００３３】
図９は、本実施の形態によるキーワード検索処理の流れを示す図である。まず、ステップＳ２１において、ホームボタンなどが押されることで処理が開始される。ここで、番組詳細検索の操作の有無を検出し（ステップＳ２２）、検出されると（ＹＥＳ）、ステップＳ２３において番組詳細検索画面が表示される。ここで、ステップＳ２４に進み、キーワード検索の操作ボタンが押されることを検出すると（ＹＥＳ）、ステップＳ２５において、図７Ｃに示すように、キーワード設定画面を表示する。ステップＳ２６において、この画面で、キーワードが入力されると（ＹＥＳ）、ステップＳ２７において、入力されたキーワードがメモリに記憶される。
【００３４】
次いで、ステップＳ２８において、キーワード検索結果表示を行う旨の操作信号を検出すると（ＹＥＳ）、ステップＳ２９において、図８Ａに示すような検索結果表示（番組表リスト表示）を行う。ここで、表示させているカテゴリ間においてカーソルを移動させると、そのカーソルに対応するカテゴリで検索された番組がリスト表示される。次いで、ステップＳ３０に示すように、番組リスト側へのカーソルの移動が検出されると（ＹＥＳ）、例えば番組表の一番上の番組にフォーカスが移動し、ステップＳ３１において決定ボタンが押されると、その番組を表示し視聴が可能となる（ステップＳ３２）。或いは、フォーカスされた番組の録画予約又は番組視聴予約などを行うことも可能である。尚、上記のうちのどの処理になるかは仕様に依存するものである。メニューによって何をするかを設定することもできる。また、全ての項目を表示して選択する画面にしても良い。或いは、最初は選択する画面で、学習していき、履歴がたまってきた場合には、その項目の処理を行なうようにしても良い。これにより処理が終了する（ステップＳ３３：ｅｎｄ）。
【００３５】
ステップＳ３０において、番組リストへのカーソルの移動ではなく、新たなキーワード検索を行う操作を検出すると、ステップＳ３４において新たなキーワード検索が行われ、ステップＳ２７に戻る。その他の処理は、カテゴリ検索処理の場合と同様である。
【００３６】
以上に説明したように、本実施の形態によるキーワード検索処理においては、ユーザが入力したキーワードを含む題名や番組情報を有する番組が検索されるが、検索条件としてメモリに記憶させたキーワードを、図８Ａに示すようなキーワード表示リストに加えていき、この表示にフォーカスを当てることで、キーワード検索された番組表をリスト表示させることができるため、検索項目を任意に追加したり変更したりしながら、検索結果として表示される番組表リストに基づいて、所望の番組を選択して視聴することができる。
【００３７】
また、どの状態でもキーワード検索画面に遷移させることができるため、新たなキーワード検索を任意のタイミングで行い、その検索結果を加えてキーワードリストの表示と対応した番組表リストを表示させることができるため、過去のキーワード検索結果と新たなキーワード検索結果とを利用して、所望の番組を選択して視聴することができる。さらに、第１の実施の形態によるカテゴリ検索結果もリスト表示されるため、カテゴリ検索とキーワード検索の結果とをあわせて、１つの画面で所望の検索条件を選択して番組を選択することもできる。第１の実施の形態によるカテゴリ検索と第２の実施の形態によるキーワード検索処理との間の処理の関係について図１５を参照しながら説明を行う。まず、ステップＳ６１においてホームメニューボタンを押すなどの操作により処理が開始され、ステップＳ６２において番組詳細検索を行うための操作を検出すると（ＹＥＳ）、ステップＳ６３で、カテゴリ（特徴）検索またはキーワード検索のいずれかが選択されると、前者ではステップＳ６４でカテゴリ(特徴)検索処理が行われ、後者では、キーワード検索処理が行われる（ステップＳ６５）。いずれの場合でも、ステップＳ６６において検索結果が表示され、ステップＳ６７において、カテゴリ（特徴）検索と、キーワード検索間のフォーカス移動を検出すると（ＹＥＳ）、ステップＳ６８で、フォーカスが移動した先の検索条件に基づく検索結果が表示される。これらの処理は繰り返し行うことができる。尚、カテゴリ検索に移動した場合には、図３Ｂの検索条件選択画面に移動するようにしても良い。このように、カテゴリ（特徴）検索またはキーワード検索間のフォーカス移動により、切り替えて番組検索を行うことができるようにすれば、下の番組詳細検索画面まで戻らなくても良いため、操作が簡単になるという利点がある。
【００３８】
次に、本発明の第３の実施の形態による番組検索技術について図面を参照しながら説明を行う。本実施の形態による番組検索技術は、上記第２の実施の形態により検索された番組検索のキーワードの消去に関するものである。ここでは、第２の実施の形態のキーワード検索の検索条件を消去する例について説明するが、カテゴリ検索の場合でも、同様の全消去ボタン、個別消去ボタンを利用して、検索条件を消去することができる。もちろん、カテゴリ検索の場合に、カテゴリ条件選択画面上での検索条件の消去も可能である。以下、図８Ｂの画面、すなわち、「大阪」、「京都」、「日本」、「アメリカ」がキーワード入力による検索条件になっている場合から出発して、キーワードの消去処理について説明する。
【００３９】
１）個別消去（図１０）：個別消去とは、例えば、検索キーワードとしてメモリに記憶され、これに基づいて、キーワード検索画面のキーワード検索表示８５にリスト表示されている「大阪」、「京都」、「日本」、「アメリカ」のうち、キーワード「日本」を個別に消去する様子について説明する。まず、図１０Ａの画面において、消去したいキーワードである「日本」１６３−１にカーソルを合わせてフォーカスした状態で、リモコン装置３５に設けられている消去処理が割り付けられているボタン（例えば赤ボタン）を押すと、図１０Ｂに示すように、本当に消去してよいか否かを確認する画面表示１９５がなされ、ここで、ＹＥＳのボタンを選択して決定すると、図１０Ｃに示すように、キーワード群のうち、個別に選択されたそのキーワードである「日本」だけがメモリからキーワードとしては削除され、キーワード検索表示８５にリスト表示されている項目である「日本」も表示されなくなる。
【００４０】
次に、図１０Ｃに示すように、図７Ｂと同様な表示画面、すなわち、キーワード設定ボタン８５ａが選択状態になり、キーワードとしては、消去された「日本」以外の、「京都」、「大阪」、「アメリカ」が表示されている（１９１）。また、リスト表示領域１９７には、新たな検索キーワードの入力を促すメッセージが表示される。
【００４１】
図１１は、以上の個別消去処理の流れを示すフローチャート図である。図１１に示すように、まず、ステップＳ５１において個別消去処理が開始され、ステップＳ５２において番組詳細検索処理を促す操作が検出され（ＹＥＳ）、ステップＳ５３において、図１０Ａに示すように、番組詳細検索画面表示がなされ、ステップＳ５４において、個別消去のための処理、例えば上記のような、あるキーワード項目の選択（キーワードへのフォーカス）と消去ボタンの押圧を検出し、次いで、ステップＳ５６において、図１０Ｂに示すような確認ボタンでＹＥＳの信号を検出すると（ＹＥＳ）、実際に選択されているキーワード項目の個別消去処理、すなわち、メモリに登録されているキーワードのうちの上記において個別に選択された項目を消去し、図１０Ｃに示すように、ステップＳ５８において検索設定ボタン８５ａにフォーカスを移動し、新たなキーワード設定を促す表示を行い、本処理を終了する（ステップＳ５９）。
【００４２】
２）全消去（図１２）：全消去とは、検索キーワードとしてメモリに記憶され、これに基づいて、キーワード検索画面のキーワード検索表示８５にリスト表示されている「大阪」、「京都」、「日本」、「アメリカ」の全てのキーワードを一括して消去するものであり、その様子について説明する。まず、図１２Ａ、すなわち図１０Ａの画面において、キーワード検索のボタンの横に設けられている全消去ボタン８５ｂ（図１２Ｂ）にカーソルを合わせる。ここで、図１２Ｂに示すように、「検索キーワードを全て消去するためには決定ボタンを押してください。」などのメッセージ表示１８１が番組リスト表示領域になされ、ここで、決定ボタンが押されると、図１３Ａに示すように全消去をして良いかどうかの確認画面１８３が表示される。ここで、「する」を選択して決定ボタンを押すと、図１３Ｂに示すように、キーワード検索が全て消去され、検索キーワード設定ボタン８５ａにフォーカスが移動するとともに、「検索キーワードを設定するには決定ボタンを押してください。新しいキーワードを設定できます。」などのメッセージ表示１８５がなされる。以上の操作により、検索キーワードを全て消去することができる。
【００４３】
図１４は、検索キーワードの全消去処理の流れを示すフローチャート図である。図１４に示すように、まず、ステップＳ４１において全消去処理が開始されると、番組詳細検索処理の操作（ホームボタンが押される）を検出すると（ＹＥＳ）、ステップＳ４３において、番組詳細検索画面を表示させる。次いで、ステップＳ４４において全消去を行う場合には（ＹＥＳ）、ステップＳ４５に進み全消去ボタンにカーソルをあわせ、ステップＳ４６で確認ボタンがＯＮされると（ステップＳ４６でＹＥＳ）、ステップＳ４７に進み検索条件項目を全て削除する全削除処理が行われ、次いで、ステップＳ４８で、検索設定ボタンにフォーカスを移動させ、ステップＳ４９で処理が終了する（ｅｎｄ）。
【００４４】
以上のように、検索キーワードとしてメモリに記憶され、これに基づいて、キーワード検索画面のキーワード検索表示８５にリスト表示されている「大阪」、「京都」、「日本」、「アメリカ」の全てのキーワードを一括して消去することができる。個別消去と一括消去とのいずれを選択するかは、任意である。
【００４５】
以上に説明したように、特徴（カテゴリ）やキーワードなどの検索条件を入力する画面と、番組のリスト表示画面とを切り替えて表示させることにより、検索条件設定と検索結果を含む番組選択とをそれぞれ大きな表示で行うことができ、取り扱いが行いやすくなるという利点がある。
【００４６】
また、ユーザが、番組を検索するためのキーワード、及び任意の番組情報などの条件を入力して検索した直後に結果を表示するとともに、フォーカス位置を、自動的に直前に検索した項目にあわせることで、次の検索項目の条件入力への移動、及び、検索結果の表示をするためのフォーカス移動をしやすくなるという利点がある。すなわち、番組検索した結果の表示も確認できるとともに、次の検索への移動が容易になるという利点がある。
【００４７】
以上においては、コンテンツの例として放送番組を例にして説明したが、その他、ネットコンテンツや光媒体に記憶されているコンテンツなども対象とすることができる。
【００４８】
本発明によるデジタル放送受信装置などの番組検索装置で動作するプログラムは、本発明に関わる上記実施形態の機能を実現するように、ＣＰＵ（Central Processing Unit）等を制御するプログラム（コンピュータを機能させるプログラム）であっても良い。そして、これら装置で取り扱われる情報は、その処理時に一時的にＲＡＭ（Random Access Memory）に蓄積され、その後、Ｆｌａｓｈ  ＲＯＭ（Read Only Memory)などの各種ＲＯＭやＨＤＤ（Hard Disk Drive）に格納され、必要に応じてＣＰＵによって読み出し、修正・書き込みが行われる。
【００４９】
また、図１の各構成の機能を実現するためのプログラムをコンピュータ読み取り可能な記録媒体に記録して、この記録媒体に記録されたプログラムをコンピュータシステムに読み込ませ、実行することにより各部の処理を行ってもよい。なお、ここでいう「コンピュータシステム」とは、ＯＳや周辺機器等のハードウェアを含むものとする。
【００５０】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
【００５１】
以上、この発明の実施の形態について図面を参照して詳述してきたが、具体的な構成はこの実施の形態に限られるものではなく、この発明の要旨を逸脱しない範囲の設計変更等された発明も含まれる。例えば、上記では、コンテンツ通知装置の例として、デジタル放送受信装置について説明したが、その他のコンテンツ通知装置を用いても同様である。ＶＯＤコンテンツを表示する機能を有する装置でも良い。
【産業上の利用可能性】
【００５２】
本発明は、コンテンツ通知装置に利用可能である。【００５３】
本明細書で引用した全ての刊行物、特許および特許出願をそのまま参考として本明細書にとり入れるものとする。
【図１】
0005520954.tif 000002
【図２】
0005520954.tif 000003
【図３Ａ】
0005520954.tif 000004
【図３Ｂ】
0005520954.tif 000005
【図３Ｃ】
0005520954.tif 000006
【図４Ａ】
0005520954.tif 000007
【図４Ｂ】
0005520954.tif 000008
【図５Ａ】
0005520954.tif 000009
【図５Ｂ】
0005520954.tif 000010
【図６】
0005520954.tif 000011
【図７Ａ】
0005520954.tif 000012
【図７Ｂ】
0005520954.tif 000013
【図７Ｃ】
0005520954.tif 000014
【図８Ａ】
0005520954.tif 000015
【図８Ｂ】
0005520954.tif 000016
【図９】
0005520954.tif 000017
【図１０Ａ】
0005520954.tif 000018
【図１０Ｂ】
0005520954.tif 000019
【図１０Ｃ】
0005520954.tif 000020
【図１１】
0005520954.tif 000021
【図１２Ａ】
0005520954.tif 000022
【図１２Ｂ】
0005520954.tif 000023
【図１３Ａ】
0005520954.tif 000024
【図１３Ｂ】
0005520954.tif 000025
【図１４】
0005520954.tif 000026
【図１５】
0005520954.tif 000027